(57)【要約】【課題】ハンマ体の質量を過剰に増やすことなく剛性を高める。【解決手段】ハンマ体２０は、各鍵１に対応して設けられ、樹脂製のハンマ基部２１と金属製のパイプ部２２とから構成される。パイプ部２２は、断面の外郭形状が円形の部材を用いて製造され、固定側端部２２ｃの先端に扁平状の異形断面部２２ｃ１が形成されて、開口が閉じられている。ハンマ体２０は、ハンマ基部２１を射出成形する際に、パイプ部２２の固定側端部２２ｃがアウトサート成形によりハンマ基部２１のパイプ固定部２１ｅに固定される。異形断面部２２ｃ１の存在により、固定側端部２２ｃが、パイプ固定部２１ｅに対して回り止め機能を果たす。【選択図】図２
2008241861.tif 000002
【特許請求の範囲】
【請求項１】
フレームと、
ハンマ駆動部を有し、前記フレームに回動自在に支持された鍵と、
回動支点及び被駆動部を有して前記鍵に対応して設けられ、対応する鍵の前記ハンマ駆動部によって前記被駆動部が駆動されることで前記回動支点を中心に回動するように前記フレームに支持され、回動することで、対応する鍵の押鍵動作に対して慣性を付与するためのハンマ体とを有し、
前記ハンマ体は、前記回動支点及び前記被駆動部が設けられたハンマ基部と、該ハンマ基部とは別体で且つ該ハンマ基部から延設されたパイプ材とから構成され、該パイプ材の一端部が前記ハンマ基部に固定されてなることを特徴とする電子楽器用の鍵盤装置。
【請求項２】
前記パイプ材の少なくとも前記一端部の断面の外郭形状が円形でないことを特徴とする請求項１記載の電子楽器用の鍵盤装置。
【請求項３】
前記パイプ材の一部に、断面形状が一様な部分に比し内部の断面積が小さい異形断面部が設けられたことを特徴とする請求項１または２記載の電子楽器用の鍵盤装置。
【請求項４】
前記パイプ材の前記一端部に生じる開口を閉塞するための栓部材が前記一端部に設けられたことを特徴とする請求項１〜３のいずれか１項に記載の電子楽器用の鍵盤装置。
【請求項５】
前記パイプ材の前記一端部の反対側の端部である他端部に生じる開口を閉塞するための栓部材が前記他端部に設けられたことを特徴とする請求項１〜４のいずれか１項に記載の電子楽器用の鍵盤装置。
【請求項６】
前記栓部材はネジであることを特徴とする請求項４または５記載の電子楽器用の鍵盤装置。
【請求項７】
前記ハンマ基部は樹脂で一体に形成されてなり、該ハンマ基部の一部が前記パイプ材の前記一端部の外側を覆うと共に、前記一端部において該一端部の開口側から前記ハンマ基部の他の一部が入り込んでいることを特徴とする請求項１〜３、５のいずれか１項に記載の電子楽器用の鍵盤装置。
【請求項８】
前記鍵及び前記ハンマ体は互いに１対１に対応して複数配設され、前記各ハンマ体の前記パイプ材の前記他端部には該パイプ材とは別体の質量部材が設けられ、前記パイプ材の長手方向における各質量部材の配設位置、各質量部材の比重、各質量部材の形状及び各質量部材の体積の少なくとも１つが、複数のハンマ体間で異なっていることで、押鍵感触のキースケーリングが実現されることを特徴とする請求項１〜４のいずれか１項に記載の電子楽器用の鍵盤装置。
【発明の詳細な説明】
【技術分野】
【０００１】
本発明は、押鍵操作により鍵に駆動されて回動して押鍵動作に慣性を付与するためのハンマ体を備えた電子楽器用の鍵盤装置に関する。
【背景技術】
【０００２】
従来、適当な質量を有するハンマ体を押鍵操作により駆動して回動させ、アコースティックピアノのような自然な押鍵感触を擬似的に得るようにした電子楽器用の鍵盤装置が知られている（下記特許文献１）。
【０００３】
この装置では、ハンマ体は、フレームに回動自在に支持された樹脂製のハンマ基部から質量を有する長尺部材が後方に延設される。そして、押鍵操作により鍵前部の駆動部がハンマ体の被駆動部を駆動し、押鍵操作に連動してハンマ体が回動し、それによって長尺部材の自由端部が上下方向に揺動するように構成される。ハンマ体の上記長尺部材は、金属製で中実（ムク）の棒状部材を後半部で前方に屈曲形成してなり、その一端部が、アウトサート成形等によってハンマ基部に固定保持される。主として長尺部材の質量が、押鍵動作に対する慣性の元になる。
【特許文献１】特許３０６０９３０号公報
【発明の開示】
【発明が解決しようとする課題】
【０００４】
この種の装置においては、ハンマ体の長尺部材の剛性（特に、断面２次モーメント）が低い（小さい）と、押鍵終了位置を規制するためのストッパとの当接時に有害な振動が生じて押鍵終了時の感触に悪影響を及ぼしたり、長年の使用により変形が生じて押鍵ストロークが変化したりするおそれがある。そのため、長尺部材の剛性は極力高く設計するのが望ましい。
【０００５】
長尺部材の剛性を高めるためには、例えば、長尺部材を太くして断面積を大きくすることが考えられる。しかしながら、長尺部材の質量の設定は、鍵に与える慣性力に直接影響するため、適切な慣性を得るためには、断面積を安易に大きくするというようなことができない。従って、長尺部材の剛性を高める上で制約があるという問題があった。
【０００６】
本発明は上記従来技術の問題を解決するためになされたものであり、その目的は、ハンマ体の質量を過剰に増やすことなく剛性を高めることができる電子楽器用の鍵盤装置を提供することにある。
【課題を解決するための手段】
【０００７】
上記目的を達成するために本発明の請求項１の電子楽器用の鍵盤装置は、フレーム（４）と、ハンマ駆動部（１ｂ）を有し、前記フレームに回動自在に支持された鍵（１）と、回動支点（２１ａ）及び被駆動部（２１ｂ）を有して前記鍵に対応して設けられ、対応する鍵の前記ハンマ駆動部によって前記被駆動部が駆動されることで前記回動支点を中心に回動するように前記フレームに支持され、回動することで、対応する鍵の押鍵動作に対して慣性を付与するためのハンマ体（２０）とを有し、前記ハンマ体は、前記回動支点及び前記被駆動部が設けられたハンマ基部（２１）と、該ハンマ基部とは別体で且つ該ハンマ基部から延設されたパイプ材（２２）とから構成され、該パイプ材の一端部（２２ｃ）が前記ハンマ基部に固定されてなることを特徴とする。
【０００８】
好ましくは、前記パイプ材の少なくとも前記一端部の断面の外郭形状が円形でない（請求項２）。
【０００９】
好ましくは、前記パイプ材の一部に、断面形状が一様な部分に比し内部の断面積が小さい異形断面部（２２ｃ１〜２２ｃ４、２２ｅ、２２ｂ１）が設けられる（請求項３）。
【００１０】
好ましくは、前記パイプ材の前記一端部に生じる開口（２２ｃａ）を閉塞するための栓部材（２４、２６）が前記一端部に設けられる（請求項４）。
【００１１】
好ましくは、前記パイプ材の前記一端部の反対側の端部である他端部（２２ｂ）に生じる開口（２２ｂａ）を閉塞するための栓部材（２３、２５、２７）が前記他端部に設けられる（請求項５）。
【００１２】
好ましくは、前記栓部材はネジ（２５、２６）である（請求項６）。
【００１３】
好ましくは、前記ハンマ基部は樹脂で一体に形成されてなり、該ハンマ基部の一部（２１ｅ１）が前記パイプ材の前記一端部の外側を覆うと共に、前記一端部において該一端部の開口側から前記ハンマ基部の他の一部（２１ｅ２）が入り込んでいる（請求項７）。
【００１４】
好ましくは、前記鍵及び前記ハンマ体は互いに１対１に対応して複数配設され、前記各ハンマ体の前記パイプ材の前記他端部には該パイプ材とは別体の質量部材（２３、２５、２７）が設けられ、前記パイプ材の長手方向における各質量部材の配設位置、各質量部材の比重、各質量部材の形状及び各質量部材の体積の少なくとも１つが、複数のハンマ体間で異なっていることで、押鍵感触のキースケーリングが実現される（請求項８）。
【００１５】
なお、上記括弧内の符号は例示である。
【発明の効果】
【００１６】
本発明の請求項１によれば、ハンマ体の質量を過剰に増やすことなく剛性を高めることができる。
【００１７】
請求項２によれば、パイプ材の一端部がハンマ基部に対する回り止めを果たすことでパイプ材の固定状態を良好にすることができる。
【００１８】
請求項３によれば、パイプ材の内部と外部との間の異物の出入りを抑制することができる。
【００１９】
請求項４によれば、前記ハンマ体が樹脂で構成される場合においてパイプ材の一端部に樹脂が入り込むことを防止することができる。
【００２０】
請求項５によれば、パイプ材の他端部からの異物の出入りを抑制することができる。
【００２１】
請求項６によれば、コスト上昇を抑制することができる。
【００２２】
請求項７によれば、パイプ材の一端部のハンマ基部への固定状態を強固にすることができる。
【００２３】
請求項８によれば、押鍵感触のキースケーリングを実現することができる。
【発明を実施するための最良の形態】
【００２４】
以下、本発明の実施の形態を図面を参照して説明する。
【００２５】
（第１の実施の形態）
図１は、本発明の第１の実施の形態に係る電子楽器用の鍵盤装置の一部を示す斜視図である。本実施の形態の鍵盤装置は、鍵盤シャーシ４と、複数の白鍵及び黒鍵である鍵１と、押鍵動作に適当な慣性を与えてアコースティックピアノのような押鍵感触を得るためのハンマ体２０とから主に構成される。ハンマ体２０は各鍵１に対応して設けられる。鍵１及びハンマ体２０は、鍵１の並び方向に並列的に配設される。図１は、非押鍵状態（鍵１が押鍵行程の開始位置にある状態）を示す。なお、以下、本装置の演奏者側を前方と称する。
【００２６】
鍵１、ハンマ体２０は、それぞれの回動中心、すなわち鍵回動軸Ｐ１、ハンマ回動軸Ｐ２を中心として上下方向に回動可能に構成されている。鍵１は対応するハンマ体２０を駆動可能に構成され、ハンマ体２０はスイッチ部３を駆動可能に構成されている。
【００２７】
鍵１には、その後端部の一側面に凸球面状の不図示の鍵支点部が突設されており、その中心が上記鍵回動軸Ｐ１である。一方、鍵盤シャーシ４の略水平なシャーシ水平部４ａの後方には鍵支持部５が設けられている。鍵支持部５の上記鍵支点部に対向する部分には、凹部５ａが設けられている。上記鍵支点部が鍵支持部５の凹部５ａと係合して、鍵１が鍵回動軸Ｐ１を中心として上下方向に回動自在にされている。
【００２８】
鍵盤シャーシ４は、シャーシ水平部４ａと鍵盤シャーシ４の前部４ｂとがリブ１２により連結されて補強されている。シャーシ前部４ｂには鍵並び方向（鍵１の横方向）の鍵１の前端部の揺動を規制するためのキーガイド６が各鍵１毎に突設されている。鍵盤シャーシ４には、支持部材９が設けられ、支持部材９にはハンマ支持部９ａが設けられる。
【００２９】
また、ハンマ支持部９ａ近傍から鍵１の後部に亘って、前側が２又形状となっているフォーク形状のバネ７が懸架されている。このバネ７は、鍵１を鍵支持部５に押しつけると共に、ハンマ体２０を支持部材９のハンマ支持部９ａに押しつけ、鍵１及びハンマ体２０が鍵盤シャーシ４から容易に脱落しないようにしている。
【００３０】
ハンマ体２０は、各鍵１に対応して設けられ、樹脂製のハンマ基部２１と金属製のパイプ部２２とから構成される。ハンマ基部２１には、ハンマ支点部２１ａ、下側延設部２１ｂ、上側延設部２１ｃ、スイッチ駆動部２１ｄ及びパイプ固定部２１ｅが一体に形成されている。パイプ部２２は、パイプ固定部２１ｅから後方に延設され、後半部が前方に屈曲している。従って、パイプ部２２の最後部が自由端部２２ａとなっていて、パイプ固定部２１ｅに固定されている側の端部である固定側端部２２ｃ（図２（ａ）で後述）とは反対側の端部である非固定側端部２２ｂは、パイプ部２２の後半部が自由端部２２ａから前方に折り曲げられていることで、自由端部２２ａよりも前方に位置している。
【００３１】
ハンマ基部２１は、支持部材９のハンマ支持部９ａ（ハンマ回動軸Ｐ２）を中心としてハンマ支点部２１ａにて支持されている。これにより、パイプ部２２の自由端部２２ａが上下方向に揺動自在になっている。ハンマ体２０のスイッチ駆動部２１ｄは、ハンマ支点部２１ａよりも前方における下部に設けられ、ハンマ体２０が押鍵方向に対応する往方向に回動することでスイッチ部３を駆動する。
【００３２】
上側延設部２１ｃ及び下側延設部２１ｂは、ハンマ基部２１の最前部において前方に延設されている。鍵１の前部には下方に垂下したハンマ駆動片１ｂが設けられている。ハンマ駆動片１ｂの下端部にはウレタンゴム製等の緩衝材（図示せず）が取り付けられている。該緩衝材は、ハンマ体２０の上側延設部２１ｃ及び下側延設部２１ｂ間に挟入され、鍵１の押離鍵動作をハンマ体２０に伝達すると共に、ハンマ体２０の復帰動作を鍵１に伝達する。押鍵及び押鍵復帰の行程において、上記緩衝材はその上端部がハンマ体２０の上側延設部２１ｃと常に当接する。これにより、鍵１の往復回動行程において、対応するハンマ体２０が確実に連動して回動する。
【００３３】
ハンマ体２０は、全体質量のうち大半の質量を占める質量部であるパイプ部２２の重さによって、下側延設部２１ｂを介して鍵１を上方に常に付勢している。鍵１の復帰力はバネ７から付与されるのではなく、ハンマ体２０自身の復帰力によるものである。
【００３４】
鍵盤シャーシ４の後部４ｄの下面には、上側ストッパ１０が設けられる。シャーシ保持部４ｃには、下側ストッパ１１が設けられている。上側ストッパ１０、下側ストッパ１１は、フェルト等で構成される。上側ストッパ１０は、押鍵操作に連動して往方向に回動するハンマ体２０のパイプ部２２と当接して鍵１及びハンマ体２０の回動終了位置（鍵１では前端部の下限位置、ハンマ体２０では自由端部２２ａの上限位置）を規制する。下側ストッパ１１は非押鍵時にハンマ体２０のパイプ部２２と当接して鍵１の前端部の上限位置を規制する。
【００３５】
シャーシ前部４ｂにはスイッチ基板８が取り付けられ、スイッチ基板８上にはスイッチ部３が設けられている。スイッチ部３は、ハンマ体２０のスイッチ駆動部２１ｄに対向して各ハンマ体２０毎に設けられている。スイッチ部３は、接点時間差タイプの２メイク式タッチレスポンススイッチであり、ハンマ体２０の動作の検出を介して鍵１の押鍵動作を検出する。
【００３６】
図２（ａ）は、本実施の形態におけるハンマ体２０のハンマ基部２１からパイプ部２２にかけての縦断面図である。図２（ｂ）は、パイプ部２２の固定側端部２２ｃの斜視図である。ハンマ体２０は、ハンマ基部２１を射出成形する際に、パイプ部２２の固定側端部２２ｃがアウトサート成形によりハンマ基部２１のパイプ固定部２１ｅに固定される。
【００３７】
パイプ部２２は、中空部２２ｄを内部に有する一様の筒状の部材、すなわち、断面の外郭形状が円形の部材を用いて製造される。具体的には、ハンマ基部２１に固定される前段階で、固定側端部２２ｃの先端が冷間プレス加工等によって扁平状の異形断面部２２ｃ１とされ、開口が閉じられる。異形断面部２２ｃ１の存在により、パイプ固定部２１ｅに固定された後の固定側端部２２ｃが、パイプ固定部２１ｅに対する回り止め機能を果たす。なお、異形断面部２２ｃ１における扁平の方向は水平方向に限られず、どの方向でもよい。
【００３８】
このような、回り止め機能を果たすための異形断面形状は、円形以外であればよく、例えば、図２（ｃ）、（ｄ）に変形例を示すように、断面矩形、断面十字型でもよい。あるいは、図２（ｅ）にさらなる変形例を示すように、固定側端部２２ｃをパイプ部２２の長手方向に直交する方向に凹ませた形状であってもよい。
【００３９】
本実施の形態によれば、ハンマ体２０は、ハンマ基部２１から、主な質量部であるパイプ部２２が延設されてなるので、延設部分が中実（ムク）の棒状部材で構成される場合に比し、同じ質量であれば、断面の中立軸に関する断面２次モーメントを大きくすることができる。これにより、対応する鍵１の回動動作に適切な慣性を与える上で、ハンマ体２０の質量を過剰に増やすことなく延設部分であるパイプ部２２の剛性を高めることができる。その結果、パイプ部２２に、押鍵終了時に有害な振動が生じたり、長年の使用により変形（曲がり）が生じたりすることを抑制することができる。
【００４０】
また、ハンマ基部２１のパイプ固定部２１ｅに固定される部分であるパイプ部２２の固定側端部２２ｃに、異形断面部２２ｃ１（あるいは異形断面部２２ｃ２〜２２ｃ４）が形成されたので、異形断面部２２ｃ１がハンマ基部２１に対する回り止め機能を果たし、パイプ部２２の固定状態を良好にすることができる。
【００４１】
さらに、異形断面部２２ｃ１は、パイプ部２２における一様な断面円形の部分に比し内部（中空部２２ｄ）の断面積が小さい（図２（ａ）の例ではゼロに近い）ので、パイプ部２２の製造後において、固定側端部２２ｃからパイプ部２２内にゴミ等の異物が入り込むことが抑制される。また、アウトサート成形時において、ハンマ基部２１を構成する樹脂が固定側端部２２ｃからパイプ部２２内に入り込むことを抑制することができる。
【００４２】
（第２の実施の形態）
図３は、本発明の第２の実施の形態に係る電子楽器用の鍵盤装置におけるハンマ体２０のパイプ部２２の後半部の斜視図である。本第２の実施の形態では、ハンマ体２０のパイプ部２２の構成のみが第１の実施の形態に対して異なり、その他の構成は同様である。
【００４３】
図３に示すように、本実施の形態においては、パイプ部２２の途中に、左右方向にプレス加工された各一対の幅狭の異形断面部２２ｅが２カ所設けられる。一対の異形断面部２２ｅは、パイプ部２２の屈曲した部分の下側と上側とにおいて、パイプ部２２の長手方向における同じ位置に形成される。異形断面部２２ｅは、左右方向に凹んでいるので、パイプ部２２の上下方向の剛性低下にはなっていない。また、非固定側端部２２ｂの先端には、異形断面部２２ｃ１（図２（ａ）、（ｂ）参照）と同様の扁平状の異形断面部２２ｂ１が形成されている。
【００４４】
本実施の形態によれば、異形断面部２２ｅ、異形断面部２２ｂ１が設けられたので、外部から非固定側端部２２ｂを通じてパイプ部２２内にゴミ等の異物が入り込んだり、あるいは長年の使用によりパイプ部２２内に生じる錆等の異物が非固定側端部２２ｂを通じて外部に放出されたりすることを抑制することができる。なお、パイプ部２２をハンマ基部２１に固定後における、パイプ部２２の内部と外部との異物の出入りを防止する観点からは、異形断面部は非固定側端部２２ｂに極力近い位置に１カ所設ければ十分である。
【００４５】
本実施の形態によればまた、異形断面部２２ｅの位置がパイプ部２２の屈曲した上下部分間で合わせてあるので、これらの位置を、例えば、鍵盤シャーシ４を棚板や下ケースにしっかり固定するためのネジ（いずれも図示せず）の位置と合わせれば、異形断面部２２ｅがドライバ等の工具の挿入経路を提供することとなる。すなわち、鍵盤シャーシ４においてネジの螺合作業のために工具であるドライバを用いる際、ハンマ体２０を装着したままでも、異形断面部２２ｅで生じた逃げのスペースを通じて上方からドライバを差し込んで作業することができる。なお、この観点からは、異形断面部２２ｅは左右一対の形状でなく、片側にのみ凹んだ形状であってもよい。
【００４６】
（第３の実施の形態）
図４（ａ）は、本発明の第３の実施の形態に係る電子楽器用の鍵盤装置におけるハンマ基部２１のパイプ固定部２１ｅ及びパイプ部２２の固定側端部２２ｃの水平断面図である。第３の実施の形態では、ハンマ体２０のパイプ部２２の固定側端部２２ｃの構成及びそのハンマ基部２１への取付状態のみが第１の実施の形態に対して異なり、その他の構成は同様である。
【００４７】
本実施の形態では、パイプ部２２単体では、その固定側端部２２ｃは加工等によって閉じられておらず、開口部２２ｃａを有している。従って、ハンマ基部２１の成形時には、ハンマ基部２１を構成する樹脂の一部２１ｅ２が開口部２２ｃａから固定側端部２２ｃの内部に入り込む。それと共に、固定側端部２２ｃの外周側を、ハンマ基部２１を構成する樹脂の一部２１ｅ１が覆う。すなわち、樹脂の一部２１ｅ２を固定側端部２２ｃ内に積極的に取り入れることで、固定側端部２２ｃは、樹脂の一部２１ｅ２、２１ｅ１によって挟み込まれた状態で保持される。
【００４８】
本実施の形態によれば、固定側端部２２ｃの内外での樹脂の挟み込みにより、パイプ固定部２１ｅへの固定側端部２２ｃの固定状態を強固にすることができる。
【００４９】
この実施の形態においては、アウトサート成形時における金型への樹脂の流し込み圧力を調節することにより、上記樹脂の一部２１ｅ２の固定側端部２２ｃの内部への入り込み深さ（図４（ａ）でいう一部２１ｅ２の右端位置）を制御することができる。これにより、鍵タッチ感触のキースケーリング用のハンマ体を極めて容易に製造することができる。そして、どのレベルのハンマ体であるかを判別してどの鍵盤へ配設すべきかは、各ハンマ体の重さを計って振り分けるだけで行える。これは、各ハンマ体の製造ロット間で異なる部位は、樹脂の一部２１ｅ２の固定側端部２２ｃへの入り込み深さだけだからである。
【００５０】
図４（ｂ）は、第３の実施の形態におけるパイプ部２２の変形例を示す水平断面図である。同図（ｂ）に示すように、パイプ部２２における固定側端部２２ｃよりやや後方に、異形断面部２２ｅ（図３参照）と同じものを設ける。このようにすると、樹脂の一部２１ｅ２の入り込みは、異形断面部２２ｅで止まるので、異形断面部２２ｅを設ける位置によって、樹脂の一部２１ｅ２の入り込みの程度（位置）を規制することができる。これにより、樹脂の一部２１ｅ２の入り込みすぎを抑制することができる。このことは、ハンマ体２０の全体質量を所期の値にするのに有用であり、また、樹脂の無駄を省くことにも繋がる。
【００５１】
なお、本実施の形態においては、固定側端部２２ｃは、樹脂が入り込めるように開口していればよく、断面円形である必要はない。固定側端部２２ｃのパイプ固定部２１ｅに対する回り止め機能をも同時に確保する観点からは、固定側端部２２ｃは、開口を有してなおかつ断面の外郭形状が円形以外の異形断面部とするのが望ましい。
【００５２】
（第４の実施の形態）
図５（ａ）は、本発明の第４の実施の形態に係る電子楽器用の鍵盤装置におけるハンマ基部２１のパイプ固定部２１ｅ及びパイプ部２２の水平断面図である。第４の実施の形態では、ハンマ体２０のパイプ部２２の構成が第１の実施の形態に対して異なり、その他の構成は同様である。
【００５３】
本実施の形態では、図５（ａ）に示すように、パイプ部２２は、屈曲しておらず、真直で断面が一様な筒体として構成される。非固定側端部２２ｂは開口部２２ｂａを有し、固定側端部２２ｃは開口部２２ｃａを有している。パイプ部２２には、ハンマ基部２１に固定される前段階で、栓部材２３、２４が開口部２２ｂａ、２２ｃａにそれぞれ装着固定される。
【００５４】
栓部材２３は、ゴム材等の弾性部材あるいは金属等でなり、栓部材２４は、ハンマ基部２１の成形時に溶けないような材料、例えば、金属で構成される。栓部材２３、２４の装着固定は、例えば、圧入、または嵌合乃至接着等によってなされる。パイプ部２２は、開口部２２ｂａ、２２ｃａが栓部材２３、２４によって閉塞された状態で、ハンマ基部２１の成形工程においてパイプ固定部２１ｅに固定される。なお、栓部材２３の装着固定は、ハンマ基部２１の成形後に行うようにしてもよい。
【００５５】
本実施の形態によれば、パイプ部２２の開口部２２ｂａ、２２ｃａが栓部材２３、２４によって閉塞されているので、ハンマ基部２１を構成する樹脂が開口部２２ｃａから固定側端部２２ｃの内部に入り込むことを防止すると共に、異物が非固定側端部２２ｂを通じて出入りすることを防止することができる。
【００５６】
さらに、この実施の形態においては、非固定側端部２２ｂが、ハンマ支点部２１ａ（図１参照）から最も遠い自由端部２２ａでもあるので、この自由端部２２ａに栓部材２３が設けられたことで、栓部材２３の有する質量により、自由端部２２ａに質量を多く集中させることができる。これにより、高い慣性を効率的に得ることが容易となるだけでなく、ハンマ体２０の回動時におけるパイプ部２２の振動を速やかに減衰させる効果もあり、不要な音鳴りの抑制にも繋がる。
【００５７】
ここで、栓部材２３の種類や配設位置を複数のハンマ体２０間で異ならせることで、押鍵感触のキースケーリングを実現するようにしてもよい。具体的には、栓部材２３の比重、形状、体積、及び、パイプ部２２の長手方向における各栓部材２３の配設位置の組合せを、複数のハンマ体２０間で異ならせることで、各ハンマ体２０の慣性を異ならせる。
【００５８】
例えば、黒鍵と白鍵とで栓部材２３の種類や配設位置を適切に設定すれば、黒鍵と白鍵との押鍵感触を均一にする等、感触の適切な設定が可能になる。また、高音域のハンマ体２０ほど慣性を小さくするのがよい。栓部材２３の構成は、全ハンマ体２０間で異ならせてもよいし、所定音域毎に異ならせてもよい。栓部材２３が元々、異物の出入りを防止する栓機能を併せ持っているので、構成の複雑化は回避される。
【００５９】
なお、本実施の形態において、パイプ部２２の加工を閉塞する目的で栓部材を採用するのは、固定側端部２２ｃと非固定側端部２２ｂのいずれか一方のみとしてもよい。その場合は、栓部材を設けない側の端部には、異形断面部２２ｃ１〜２２ｃ４（図２参照）または異形断面部２２ｂ１（図３参照）のいずれかを採用してもよい。
【００６０】
図５（ｂ）は、第４の実施の形態におけるパイプ部２２の変形例を示す水平断面図である。同図（ｂ）に示すように、パイプ部２２の開口部２２ｂａ、２２ｃａには、栓部材２３、２４に代えて、ネジ２５、２６が螺合されている。開口部２２ｂａ、２２ｃａには、ネジ山が形成されている。あるいは、ネジ２５、２６はセルフタッピングにより螺合固定されるようにしてもよい。この変形例によっても、図５（ａ）の例と同様の効果を奏することができる。また、ネジを採用したことでコスト上昇の抑制にも繋がる。
【００６１】
ところで、ネジ２５を採用してなおかつ上記した押鍵感触のキースケーリングを実現することもできる。ネジ２５は、ねじ込みの深さによってその配設位置を制御することが容易である。図５（ｃ）の例では図５（ｂ）の例に比しネジ２５を浅めにねじ込んであり、ネジ２５の位置がハンマ支点部２１ａから遠ざかっている。慣性モーメントは、ハンマ支点部２１ａから質量集中部までの距離の２乗に比例するので、図５（ｃ）の例は図５（ｂ）の例よりも慣性モーメントが大きくなる。このように、ネジ２５の比重や体積を異ならせることはもとより、同じネジ２５であってもその配設位置によってハンマ体２０の慣性を所望の値に設定することができる。よって、押鍵感触の一層繊細なキースケーリングを実現することが可能である。
【００６２】
（第５の実施の形態）
図６（ａ）は、本発明の第５の実施の形態に係る電子楽器用の鍵盤装置におけるハンマ体２０のパイプ部２２の後部の水平断面図である。本第５の実施の形態では、ハンマ体２０のパイプ部２２の構成のみが第１の実施の形態に対して異なり、その他の構成は同様である。
【００６３】
同図（ａ）に示すように、本実施の形態では、パイプ部２２は、その少なくとも後半部が、第４の実施の形態（図５（ａ）参照）と同様に屈曲しておらず、真直で断面が一様な筒体として構成され、非固定側端部２２ｂは開口部２２ｂａを有している。非固定側端部２２ｂには、閉塞用の樹脂２７が充填されていて開口部２２ｂａが閉塞されている。樹脂２７は、例えば、アウトサート成形によって開口部２２ｂａに配設され、必要に応じて開口端が事後的に切断される。樹脂２７を非固定側端部２２ｂに設ける工程は、ハンマ基部２１の成形時と同じでもよいし、別でもよい。また、樹脂２７の材料は、ハンマ基部２１を構成する樹脂と同一であってもよいし、異なっていてもよい。
【００６４】
本実施の形態によれば、樹脂２７が、第４の実施の形態においてパイプ部２２の非固定側端部２２ｂに設けた栓部材２３（図５（ａ）参照）と同様の機能を果たす。従って、自由端部２２ａに質量を多く集中させること、及び異物の非固定側端部２２ｂを通じた出入りを防止することに関して、第４の実施の形態と同様の効果を奏することができる。
【００６５】
図６（ｂ）、（ｃ）は、第５の実施の形態におけるパイプ部２２の変形例を示す水平断面図である。同図（ｂ）、（ｃ）に示すように、パイプ部２２の非固定側端部２２ｂにおいて、開口部２２ｂａよりもややパイプ固定部２１ｅ寄りの位置に、異形断面部２２ｅ（図３参照）と同じものを設ける。この異形断面部２２ｅを形成した後に、樹脂２７を設ける。このようにすると、樹脂２７は、開口部２２ｂａから異形断面部２２ｅの位置までしか入り込まないので、樹脂２７の量を所望値に制御することが容易となる。同図（ｂ）に比し、同図（ｃ）の例では、異形断面部２２ｅの位置が開口端に近く、樹脂２７の量が少なくなっている。
【００６６】
図６（ｂ）、（ｃ）に示す変形例においては、押鍵感触のキースケーリングを、栓部材２３やネジ２５の種類等で実現したのと同様に、樹脂２７の量で実現可能である。具体的には、各ハンマ体２０毎に、所望の樹脂２７の量に応じた位置に異形断面部２２ｅを設けて、樹脂２７を配設すればよい。
【００６７】
上記各実施の形態では、パイプ部２２は、最後部から前方に屈曲した形状（図１〜図３参照）、または真直（図４〜図６）であったが、各実施の形態において期待する効果に応じて、屈曲形状から真直に、あるいは真直から屈曲形状に変更してもよいし、あるいは例示したのとは異なる他の形状を採用することも可能である。
【００６８】
図７（ａ）〜（ｃ）は、ハンマ体２０のパイプ部２２の変形例を示す側面図、斜視図である。例えば、図７（ａ）に示すように、パイプ部２２の後部を一旦前方に屈曲させ、さらに後方に屈曲形成してもよい。このような、パイプ部２２の非固定側端部２２ｂが後方に開口して実質的に自由端部２２ａともなっている構成であれば、第３〜第５の実施の形態（図４〜図６）に採用するのに好適である。ただし、異物の出入り防止の観点に限れば、長手方向における非固定側端部２２ｂの位置は問わず、向きも問わない。
【００６９】
ところで、パイプ部２２を後半部で屈曲形成することは、パイプ部２２自体の質量を後部に集中させることにもなるので、ハンマ体２０の全長をコンパクトに維持しつつ高い慣性を得る構成とする上で有利である。特に、図７（ａ）に示す例のように、パイプ部２２の後部を複数回屈曲させることで、その効果をより高めることができる。従って、この観点からは、屈曲の回数はもっと増やしてもよい。
【００７０】
また、ハンマ体２０の全長を長くすることなくパイプ部２２自体の質量を後部に集中させるためには、図７（ｂ）、（ｃ）に示すように、パイプ部２２の後半部において非固定側端部２２ｂの近傍を、後方視円形、または後方視矩形の螺旋状に形成してもよい。
【００７１】
また、上記各実施の形態では、パイプ部２２において異形断面部以外の、断面形状が一様である部分は、その断面外郭形状が円形であったが、これに限られない。例えば、図８（ａ）〜（ｃ）に断面形状の変形例を示すように、矩形（同図（ａ））、三角形（同図（ｂ））、あるいは蝶型（同図（ｃ））等であってもよい。すなわち、パイプ材から形成でき、なおかつ、断面の中立軸に関する断面２次モーメントが、実断面積が同じで忠実の丸棒に比し大きくなるような形状であればよい。同図（ｃ）の例よりもさらにＨ型に近づけた形状であってもよい。
【００７２】
なお、図８（ａ）〜（ｃ）に例示したような断面外郭形状が非円形である形状を一様に有するパイプ部２２を採用した場合は、固定側端部２２ｃに異形断面部２２ｃ１（図２（ａ）参照）を設けなくても、パイプ固定部２１ｅに対して回り止め機能を果たすことができる。
【００７３】
なお、パイプ部２２の断面外郭形状を円形に構成した場合において、パイプ部２２の非固定側端部２２ｂであって、特に上側ストッパ１０及び下側ストッパ１１と当接する部分だけを、図８（ｄ）に示すように、他の一様な部分に比し外形を大きく構成してもよい。これにより、非固定側端部２２ｂの、上側ストッパ１０及び下側ストッパ１１に当接する面積が大きくなり、長年に使用によって上側ストッパ１０及び下側ストッパ１１に生じる沈み込み（変形）が抑制される。これにより、緩衝機能、及び押鍵ストロークを長期に亘って適切に維持することができる。
【００７４】
なお、上記各実施の形態においては、ハンマ基部２１は樹脂で、パイプ部２２は金属で構成されたが、樹脂の一部２１ｅ２を固定側端部２２ｃ内に積極的に取り入れてパイプ部２２の保持強度を高めるという構成（図４参照）を除外すれば、ハンマ基部２１は樹脂でなくてもよく、マグネシウム等の金属であってもよい。また、パイプ部２２も、金属でなく、樹脂であってもよい。また、ハンマ基部２１に対するパイプ部２２の固定方法も、アウトサート成形に限られず、嵌合やネジ止め等の各種固定方法を採用可能である。
【００７５】
なお、ハンマ体２０は後部が自由端部２２ａとして回動するようになっているが、これに限るものでなく、ハンマ基部２１とパイプ部２２の配置を前後逆転させて、前部に自由端部２２ａを設けた形でも本発明を適用可能である。
【図面の簡単な説明】
【００７６】
【図１】本発明の第１の実施の形態に係る電子楽器用の鍵盤装置の一部を示す斜視図である。
【図２】本実施の形態におけるハンマ体のハンマ基部からパイプ部にかけての縦断面図（図（ａ））、パイプ部の固定側端部の斜視図（図（ｂ））、パイプ部の固定側端部の変形例の斜視図（図（ｃ）〜（ｅ））である。
【図３】本発明の第２の実施の形態に係る電子楽器用の鍵盤装置におけるハンマ体のパイプ部の後半部の斜視図である。
【図４】本発明の第３の実施の形態に係る電子楽器用の鍵盤装置におけるハンマ基部のパイプ固定部及びパイプ部の固定側端部の水平断面図（図（ａ））、第３の実施の形態におけるパイプ部の変形例を示す水平断面図（図（ｂ））である。
【図５】本発明の第４の実施の形態に係る電子楽器用の鍵盤装置におけるハンマ基部のパイプ固定部及びパイプ部の水平断面図（図（ａ））、第４の実施の形態におけるパイプ部の変形例を示す水平断面図（図（ｂ）、（ｃ））である。
【図６】本発明の第５の実施の形態に係る電子楽器用の鍵盤装置におけるハンマ体のパイプ部の後部の水平断面図（図（ａ））、第５の実施の形態におけるパイプ部の変形例を示す水平断面図（図（ｂ）、（ｃ））である。
【図７】ハンマ体のパイプ部の変形例を示す側面図（図（ａ））、斜視図（図（ｂ）、（ｃ））である。
【図８】パイプ部の断面外郭形状が非円形である変形例を示す断面図（図（ａ）〜（ｃ））、パイプ部の非固定側端部の外形を大きくした変形例を示す断面図（図（ｄ））である。
【符号の説明】
【００７７】
１  鍵、  １ｂ  ハンマ駆動片（ハンマ駆動部）、  ４  鍵盤シャーシ（フレーム）、  ２０  ハンマ体、  ２１  ハンマ基部、  ２１ａ  ハンマ支点部（回動支点）、  ２１ｂ  下側延設部（被駆動部）、  ２１ｅ  パイプ固定部、  ２１ｅ１  樹脂の一部（ハンマ基部の一部）、  ２１ｅ２  樹脂の一部（ハンマ基部の他の一部）、  ２２  パイプ部（パイプ材）、  ２２ｂ  非固定側端部（他端部）、  ２２ｃ  固定側端部（一端部）、  ２２ｃ１〜２２ｃ４、２２ｅ、２２ｂ１  異形断面部、  ２２ｂａ、２２ｃａ  開口部（開口）、  ２３  栓部材（質量部材）、  ２４  栓部材、  ２５  ネジ（質量部材、栓部材）、  ２６  ネジ（栓部材）、  ２７  樹脂（栓部材、質量部材）
【図１】
2008241861.tif 000003
【図２】
2008241861.tif 000004
【図３】
2008241861.tif 000005
【図４】
2008241861.tif 000006
【図５】
2008241861.tif 000007
【図６】
2008241861.tif 000008
【図７】
2008241861.tif 000009
【図８】
2008241861.tif 000010